(57)【要約】【課題】設置スペースの制約を解消でき使用者等の利便性を飛躍的に向上し、しかも多目的に有効利用可能な支持装置を提供する。【解決手段】支柱の周りに支柱径方向に延びる複数のアームを有する支持装置において、各アームを支柱に対し独立に回動可能に構成したことを特徴とする支持装置。【選択図】図１
2006034409.tif 000002
【特許請求の範囲】
【請求項１】
支柱の周りに支柱径方向に延びる複数のアームを有する支持装置において、各アームを支柱に対し独立に回動可能に構成したことを特徴とする支持装置。
【請求項２】
支柱の周りに支柱径方向に延びる複数のアームを有し、各アームが支柱に対し回動可能に設けられたアームベースに取り付けられた支持装置であって、前記アームベースの回動中心の両側に、それぞれ、所定位置にロックまたは係止およびその解除が可能なロック機構を設けたことを特徴とする支持装置。
【請求項３】
前記各アームが支柱に着脱自在に接続されている、請求項１または２の支持装置。
【請求項４】
前記各アームが独立に支柱軸方向にスライド可能で、かつ、任意の位置に固定可能に構成されている、請求項１ないし３のいずれかに記載の支持装置。
【請求項５】
前記各アームが独立に伸縮自在に構成されている、請求項１ないし４のいずれかに記載の指示装置。
【請求項６】
前記アームが支柱周方向に回転自在に構成されている、請求項１ないし５のいずれかに
記載の支持装置。
【請求項７】
前記任意のアーム間に紐状体が張設されている、請求項１ないし６のいずれかに記載の支持装置。
【請求項８】
前記各アームの支柱に対する回動位置が自在に調整可能な請求項１ないし７のいずれかに記載の支持装置。
【請求項９】
前記支柱が支柱軸方向に分割可能に構成されている、請求項１ないし８のいずれかに記載の支持装置。
【請求項１０】
前記支柱が基台により立設されており、該基台が内部に充填物が充填可能な容器から構成されている、請求項１ないし９のいずれかに記載の支持装置。
【請求項１１】
少なくとも前記支柱およびアームがアルミニウムまたはステンレス鋼から構成されている、請求項１ないし１０のいずれかに記載の支持装置。
【発明の詳細な説明】
【技術分野】
【０００１】
本発明は、たとえば衣類、ハンガー、工具、配線等を吊設可能、あるいは商品、植物等の陳列台を支持可能な多目的に使用可能な支持装置に関する。
【背景技術】
【０００２】
従来、たとえば衣類、ハンガー等が吊設可能な物干しスタンド等に関しては種々の提案がなされている（たとえば、特許文献１、２）。このような提案においては、たとえば支柱の周方向に回転可能な竿体を複数設け、該竿体（アーム）に衣類等の洗濯物やハンガー等が吊り下げられるようになっている
【０００３】
しかし、上記のような装置においては、各竿体の支柱に対する回動（つまり、各竿体と支柱とのなす角度）、支柱軸方向への動き（つまり、高さ調節）は許容されていない。このため、使用者等の利便性が著しく損なわれるおそれがある。また、各竿体の支柱に対する回動が不可能であるため、支柱径方向に大きな占有スペースが必要になるため、ベランダや部屋のコーナー等の狭小なスペースには設置できなくなるおそれもある。さらに、上記のような装置の用途は専ら衣類等の洗濯物やハンガー等が吊り下げであり、他の目的への有効利用の途は全く与えられていない。
【特許文献１】特開平０７−２１３７９０号公報
【特許文献２】特開平０７−２１３７９１号公報
【発明の開示】
【発明が解決しようとする課題】
【０００４】
そこで本発明の課題は、設置スペースの制約の解消等により使用者等の利便性を飛躍的に向上でき、しかも多目的に有効利用可能な支持装置を提供することにある。
【課題を解決するための手段】
【０００５】
上記課題を解決するために、本発明に係る支持装置は、支柱の周りに支柱径方向に延びる複数のアームを有する支持装置において、各アームを支柱に対し独立に回動可能に構成したことを特徴とするものからなる。このような構成においては、各アームが支柱に対し独立に回動されるので、支持装置の支柱径方向への占有スペースを自在に調整できる。したがって、ベランダや部屋のコーナー等の狭小なスペースへの機能的な設置が可能になる。
【０００６】
また、上記課題を解決するために、本発明に係るもう一つの支持装置は、支柱の周りに支柱径方向に延びる複数のアームを有し、各アームが支柱に対し回動可能に設けられたアームベースに取り付けられた支持装置であって、前記アームベースの回動中心の両側に、それぞれ、所定位置にロックまたは係止およびその解除が可能なロック機構を設けたことを特徴とするものからなる。このような構成においては、アームベースの回動中心の両側に、それぞれ、所定位置にロックまたは係止およびその解除が可能なロック機構が設けられているので、支柱に対しアームを所定位置に強固に、しかも簡単に解除可能に固定できる。
【０００７】
上記各アームは支柱に対し着脱可能に構成されることが好ましい。
【０００８】
上記各アームは、支柱軸方向にスライド可能で、かつ、任意の位置に固定可能であることが好ましい。また、各アームは伸縮自在であることが好ましい。
【０００９】
また、上記各アームは支柱周方向に回転自在に構成されることが好ましい。
【００１０】
上記支柱は、支柱軸方向に２つまたはそれ以上に分割可能であることが好ましい。支柱をこのように構成すれば、支持装置の使用目的、設置場所等に応じて支持装置の高さを調整することができる。
【００１１】
本発明に係る支持装置は、衣類等の洗濯物を吊り下げる物干し台、商品や植物等の陳列用のボードを支持する陳列台等として、多岐、多様な分野における利用可能性を有する。また、たとえば、任意のアーム間に紐状体（たとえば、ビニール紐、ロープ、鎖等）を着脱可能に張設することにより、装置の利用可能性をさらに高めることができる。
【００１２】
上記支柱は基台により立設されることが好ましい。このような基台は、たとえば内部に水、砂等が充填可能なプラスチック製容器等から構成可能である。このようにすれば、装置の移動時等においては基台の軽量化を図ることができるので、装置の移動や収納を簡単に行うことができる。また、基台、ひいては装置の低コスト化に寄与できる。なお、支柱は、アジャスタ等を用いて天井等に固定することも可能である。
【００１３】
本発明に係る支持装置の各部材の材質は、とくに限定されるものではなく、金属、樹脂等を用いることができる。とくにアルミニウム、ステンレス鋼は軽量で耐食性、耐候性に優れ、しかも樹脂等に比べ強度的にも優れているので、耐食性、耐候性、強度が要求される支柱、アームの構成材料として好適である。なお、本願においてアルミニウムとは、純アルミニウムのみならずアルミニウム系合金を含む概念である。
【発明の効果】
【００１４】
本発明に係る支持装置においては、各アームが支柱に対し独立に回動可能に構成されているので、装置の機能的設置、および設置スペースの狭小化を達成しつつ、併せて支持装置の新たな利用可能性を開拓できる。
【発明を実施するための最良の形態】
【００１５】
以下に、本発明の支持装置の望ましい実施の形態を、図面を参照しながら説明する。
図１ないし図９は、本発明の一実施態様に係る支持装置を示している。図において、１は支持装置を示している。支持装置１は、支柱２を有している。支柱２は、図１に示すように２本の円筒体３、４から構成され支柱軸方向に２分割可能に構成されている。円筒体３、４内には芯棒５が挿通されている。芯棒５は後述の基台３０に挿入されている。また、各円筒体３、４はそれぞれ独立に回転自在に構成されている。したがって、後述の各アーム１３は支柱２の支柱周方向に回転自在に構成されるようになっている。このため、風向きに応じて、支柱２およびアーム１３が回転されるので、極めて転倒し難い構造になっている。なお、本実施態様においては、支柱２を構成する円筒体３、円筒体４、アーム１３、アームベース１４は、アルミニウムまたはステンレス鋼から構成されており、優れた強度、耐候性、耐食性を有しているので、支持装置１が野外等に設置される場合においても優れた耐久性が発揮されるようになっている。
【００１６】
円筒体３、４には支柱軸方向に延びる一対のガイド柱６が設けられている。本実施態様においては、図４に示すように円筒体３、４の周方向に５つのガイド柱６が設けられている。ガイド柱６は、横断面略Ｌ字状のレール７、８を有している。
【００１７】
ガイド柱６のレール７、８には、係止部材９（図５、図６）の係止溝１０、１１が係合されている。係止部材９はガイド柱６に沿って、換言すれば支柱軸方向に沿ってスライド可能に構成されている。
【００１８】
係止部材９には、ボルト１２（本実施態様においては、鉄製の蝶ボルト）が挿通される挿通孔２０が設けられている。挿通孔２０にボルト１２を挿通して締め付けることにより、係止部材９は支柱２の支柱軸方向の任意の位置に自在に固定されるようになっている。なお、本実施態様においては、図５に示すように係止部材９の背面３５には鉄製の四角ナット３６が設けられている。このため、係止部材９をアルミニウム又はステンレス鋼から構成しても、ボルト１２は四角ナット３６に螺合されることになるのでねじ山の磨耗が防止され、装置自身の耐久性が損なわれるおそれはない。
【００１９】
また、係止部材９には、アームベース１４が接続されている。アームベース１４は、図８に示すように、アーム１３が連結されるアーム連結部１５と、係止部材９に係合される係合部１６とを有している。アーム連結部１５には支柱２の支柱径方向に延びるアーム１３が連結されている。アーム連結部１５には孔３７が設けられており、また、アーム１３の端部には上記孔３７に対応する孔が設けられている。そして両孔にピン３８を挿入することによりアーム連結部１５にアーム１３が連結されるようになっている。ピン３８は着脱自在に孔に挿入されている。つまり、各アーム１３は支柱２に着脱自在に接続されている。このため、装置の設置スペース等に応じて各アーム１３を簡単に着脱できる。
【００２０】
係合部１６の先端は、係止部材９に設けられたストッパ２９と係合し合うようになっている。係合部１６には、長穴１７が設けられており、長穴１７内にはばね１８が設けられている。ピン１９は係止部材９の挿通孔２１、２２および長穴１７に挿通されている。ピン１９を中心としてアームベース１５、ひいてはアーム１３が支柱２に対して回動（つまり、支柱２とアーム１３とのなす角が可変）されるようになっている。なお、アーム１３は伸縮自在な構造に構成することも可能である。該伸縮を公知の構造の中から適宜選択できる。
【００２１】
アームベース１４の係合部１６にはボス部２３、２４が設けられている。ボス部２３、２４は、係止部材９の切欠き２５、２６に係合されている。したがって、アーム１３を支柱２の支柱径方向に引っ張ればばね１８が縮み、ボス部２３、２４と切欠き２５、２６との係合係合状態が解除されるため、アーム１３は支柱２側（つまり、支柱２とアーム１３とのなす角が減少する方向）に回動される。一方、アーム１３を反支柱方向（つまり、支柱２とアーム１３とのなす角が増大する方向）に回動させれば再び、ボス部２３、２４と切欠き２５、２６との係合状態が構成される。この係合状態においては、ピン１９は、挿通孔に挿通された状態でばね１８によりアームベース１３のアーム連結部１５側に付勢されている。また、係合部１６の先端は係止部材９に設けられたストッパ２９と係合される。したがって、上記係合状態は極めて強固なものとなる。また、たとえば、ボス部２３、２４を切欠き２５、２６に遊嵌するように形成し、さらに係合部１６の先端およびストッパ２９に互いに噛み合う凹凸を複数形成しておけばアーム１３の支柱２に対する回動位置は略任意に設定できる。
【００２２】
上記のようにして、アーム１３の回動中心の両側に該アーム１３を所定位置にロックまたは係止およびその解除が可能なロック機構２７、２８が設けられている。なお、係合部１６の先端と係止部材９に設けられたストッパ２９との係合機構を省略しても、本実施態様のようなロック機構２７、２８によればアーム１３を所定位置に強固に、しかも確実に係合できる。したがって、ストッパ２９は省略することも可能である。
【００２３】
基台３０は、容器３１と該容器３１の口を開閉する蓋３２から構成されている。容器３１の略中央には芯棒５が挿入される貫通孔３４が設けられており、容器３１はドーナツ状に形成されている。容器３１内には、たとえば水、砂等が充填されるようになっている。このようにすれば、装置１の移動時等においては充填物を放出すれば該基台３０の軽量化を図ることができるので、装置１の移動や収納を簡単に行うことができる。また、基台３０、ひいては装置１の低コスト化に寄与できる。なお、本実施態様においては、容器３１に貫通孔３４を設け該孔３４に芯棒５を挿通しているが、たとえば容器３１に凹部を設け該凹部に芯棒５を挿入するようにしてもよい。また、支柱２は、アジャスタ等を用いて天井等に固定することも可能である
【００２４】
本実施態様においては、各アーム１３が支柱２に対し独立に回動し折りたたみ可能である。また、各アーム１３は容易に着脱可能であるので、支持装置１の支柱径方向への占有スペースを自在に調整できる。したがって、ベランダや部屋のコーナー等の狭小なスペースへの機能的な設置が可能になる。また、アームベース１４の回動中心の両側に、それぞれ、所定位置にロックまたは係止およびその解除が可能なロック機構２７、２８が設けられているので、支柱２に対しアーム１３を所定の回動位置、高さ位置に強固に、しかも簡単に解除可能に固定できる。
【００２５】
なお、本実施態様においては、各アーム１３には、図３に示すように紐状体３３（たとえば、ビニール紐、ロープ、鎖等）を張設することも可能である、このように構成すれば、アーム１３および紐状体３３に衣類等を吊り下げることもでき、さらなる用途の拡大が可能になる。また、支柱２は、図１に示すように２本の円筒体３、４から構成され支柱軸方向に２分割可能に構成されているので、円筒体３、４のいずれか一方は取り外して使用することもできる。なお、本実施態様においては、支柱２は、２本の円筒体から構成されているが３本、さらにそれ以上の本数の円筒体から構成することも可能である、
【産業上の利用可能性】
【００２６】
本発明の支持装置は、たとえば衣類、ハンガー、工具、配線等を吊設可能な支持装置として、あるいは商品、植物等の陳列台を支持する支持装置として、さらには、支柱にパラソルの柄の部分を挿入しパラソルの支持装置等にも使用できる。
【図面の簡単な説明】
【００２７】
【図１】本発明の一実施態様に係る支持装置の外観を示す斜視図である。
【図２】図１の支持装置の平面図である。
【図３】図１の支持装置の一部断面表示正面図である。
【図４】図１の支持装置の支柱を構成する円筒体の拡大断面図である。
【図５】図１の支持装置の係止部材の斜視図である。
【図６】図５の係止部材を別の方向から見た斜視図である。
【図７】図１の支持装置の係止部材の拡大側面図である。
【図８】図１の支持装置のアームベースの斜視図である。
【図９】図１の支持装置の支柱とアームとの係合を示す分解斜視図である。
【符号の説明】
【００２８】
１  支持装置
２  支柱
３、４  円筒体
５  芯棒
６  ガイド柱
７、８  レール
９  係止部材
１０、１１  係止溝
１２  ボルト
１３  アーム
１４  アームベース
１５  アーム連結部
１６  係合部
１７  長穴
１８  ばね
１９  ピン
２０  挿通孔
２１、２２  挿通孔
２３、２４  ボス部
２５、２６  切欠き
２７、２８  ロック機構
２９  ストッパ
３０  基台
３１  容器
３２  蓋
３３  紐状体
３４  貫通孔
３５  背面
３６  四角ナット
３７  孔
３８  ピン
【図１】
2006034409.tif 000003
【図２】
2006034409.tif 000004
【図３】
2006034409.tif 000005
【図４】
2006034409.tif 000006
【図５】
2006034409.tif 000007
【図６】
2006034409.tif 000008
【図７】
2006034409.tif 000009
【図８】
2006034409.tif 000010
【図９】
2006034409.tif 000011